(57)【要約】  【課題】  表示画面を消灯する状況であるかどうかを正確に判断したうえで、表示画面を消灯する状況にある場合に表示画面を消す携帯端末装置を提供する。  【解決手段】  携帯端末装置は、点灯して情報を表示するための表示画面と、被検出物が近接したことを検出するための近接検出部と、移動を検出するための移動検出部と、移動を前記移動検出部が検出した後に前記近接検出部へ前記被検出物が近接すると、点灯している前記表示画面を消灯させる制御部と、を具備する。【選択図】  図２
2014168309.tif 000002
【特許請求の範囲】
【請求項１】
表示画面と、
被検出物が近接したことを検出するための近接検出部と、
前記表示画面を点灯および消灯させる制御部と、を有し、
前記表示画面が消灯している状態で着信を受けたとき前記表示画面を点灯させて着信を報知し、
前記表示画面が着信を報知後に、被検出部が近接していない状態で通話が開始されてから、被検出部が近接していない状態のまま一定時間経過した後に、前記表示画面を消灯させ、
前記表示画面が消灯した後に被検出部が近接していない状態で前記通話が終了した場合は前記表示画面を点灯させる、携帯端末装置。
【請求項２】
前記表示画面が着信を報知中に、被検出部が近接しない状態から近接した状態に変化後は、前記表示画面を消灯させて着信を報知させる、請求項１記載の携帯電話装置。
【請求項３】
移動を検出するための移動検出部をさらに有し、
携帯端末装置の移動を前記移動検出部が検出し、さらに、前記近接検出部が被検出部の近接を検出した場合に前記表示画面を消灯させる、
請求項１または２記載の携帯電話装置。
【請求項４】
設定した時刻に報知させる時刻設定部をさらに有し、
設定した時刻が到来したときに被検出部が近接していない場合は前記表示画面を消灯させて時刻の到来を報知し、
被検出部が近接した状態に変化後は、前記表示画面を点灯させて時刻の到来を報知する、請求項１乃至３のいずれか記載の携帯電話装置。
【発明の詳細な説明】
【技術分野】
【０００１】
本発明は、表示画面の消灯を制御する携帯通信端末装置に関する。
【背景技術】
【０００２】
携帯電話端末装置などの携帯端末装置は、液晶ディスプレイのバックライトなど表示画面による電力消費量が多く、電力消費量の低減化が近年検討されている。
【０００３】
例えば、特許文献１には、近接センサを設けた携帯電話が記載されている。この携帯電話は、通話中に耳などの被検出部の近接を近接センサが検出した際に、表示画面を消灯している。
【先行技術文献】
【特許文献】
【０００４】
【特許文献１】特開２００６−５０５０５公報
【発明の概要】
【発明が解決しようとする課題】
【０００５】
しかし、特許文献１に記載の携帯電話端末装置の場合、操作時に近接センサに誤って指などが触れた際、近接センサが近接を検出することで、表示画面が消灯する不利益があった。
【０００６】
本発明の目的は、表示画面を消灯してもよい状況であるかどうかをより正確に判断して表示画面を消灯する状況にある場合に表示画面を消灯させる携帯端末装置を提供することにある。
【課題を解決するための手段】
【０００７】
本発明の一実施形態にかかる携帯通信端末装置は、点灯して情報を表示するための表示画面を具備する携帯端末装置であって、被検出物が近接したことを検出するための近接検出部と、携帯端末装置の移動を検出するための移動検出部と、携帯端末装置の移動を前記移動検出部が検出した後に、前記近接検出部が前記被検出物の近接を検出すると、点灯している前記表示画面を消灯させる制御部と、を具備する。
【０００８】
前記携帯通信端末装置は、ユーザーへ報知するための報知部をさらに具備し、携帯端末装置の移動を前記移動検出部が検出した後に前記近接検出部が前記被検出物の近接を検出することによって、点灯している前記表示画面が前記制御部により消灯した後、前記報知部が報知を行なう場合に、前記近接検出部は被検出物が近接しているかどうかを検出することができる。
【０００９】
前記近接検出部は、前記報知部が報知を行なう場合の、被検出物が近接しているかどうかの検出で、前記被検出物が近接していると検出した場合に、前記制御部は前記表示画面を点灯させないよう制御できる。
【００１０】
前記近接検出部は、前記報知部が報知を行なう場合の、被検出物が近接しているかどうかの検出で、前記被検出物が近接していないと検出した場合に、前記制御部は前記表示画面を点灯させるよう制御できる。
【００１１】
前記携帯通信端末装置は、周囲の明るさを検出する明るさ検出部をさらに具備し、前記
制御部は、携帯端末装置の移動を前記移動検出部が検出し、前記被検出物が前記近接検出部へ近接したことを検出したのち、前記明るさ検出部が検出した前記周囲の明るさが所定の明るさ以上である際に、前記表示画面を消灯させないよう制御できる。
【発明の効果】
【００１２】
本実施形態にかかる携帯端末装置は、近接検出部と移動検出部とを有し、被検出物の近接の検出と、携帯端末装置の移動の検出と、を行うことができる。これにより、表示画面を消灯してもよい状況をより正確に判断し、電力消費量を削減することができる。
【図面の簡単な説明】
【００１３】
【図１】本発明の実施の形態の一例を示す携帯電話端末装置１００の外観斜視図である。
【図２】本発明の実施の形態の一例を示す携帯電話端末装置１００のブロック構成図である。
【図３】図２の制御部１０８を詳細に示したブロック構成図である。
【図４】表示画面の点灯および消灯に関するプログラムのフローチャートである。
【図５】図４に記載されたステップＳ５とステップＳ６との間に追加したステップを示す、図４の部分拡大図である。
【図６】着信があった場合の表示画面の点灯および消灯の制御に関するプログラムのフローチャートである。
【図７】時刻到来の報知があった場合の表示画面の点灯および消灯の制御に関するプログラムのフローチャートである。
【図８】設定時間経過により表示画面が消灯した場合の表示画面の点灯および消灯に関するプログラムのフローチャートである。
【発明を実施するための形態】
【００１４】
本発明の一実施形態にかかる携帯端末装置を説明する。
【００１５】
〔構成〕
本発明の一実施形態にかかる携帯端末装置とは、情報を表示する表示画面を備え、外部と通信できる端末装置であればよい。携帯端末装置としては、例えば、携帯電話端末装置、ＰＨＳ（Personal Handy-phone System）、ＰＤＡ（Personal Digital Assistant）等
が挙げられる。
【００１６】
以下に、携帯端末装置の一例である携帯電話端末装置の構成について説明する。
【００１７】
図１は、携帯電話端末装置１００の外観斜視図である。なお、図１においては一例として表示画面１０２にタッチパネルを有するストレートタイプの携帯電話端末装置１００を示す。タッチパネルには、例えば、静電容量方式、抵抗膜方式、光学式、超音波表面弾性波方式、赤外線遮光方式、電磁誘導方式、画像認識方式など種々の方式がある。
【００１８】
なお、携帯電話端末装置の具体例として、前述のようにストレートタイプの携帯電話端末装置１００を示しているが、他に、折り畳み型、スライド型などの携帯電話端末装置であってもかまわない。
【００１９】
図１に示す携帯電話端末装置１００の外観には、近接センサ１０１、表示画面１０２、光センサ１０３、受話口（レシーバー）１０４、送話口（マイク）１０５、操作部１０６が備えられている。また、携帯電話端末装置１００の内部には、加速度センサ１０９が備えられている。
【００２０】
表示画面１０２は、携帯電話端末装置１００に備えられた機能を実現するために各種情報１０７を表示する。各種情報１０７としては、例えば、図１に示すような電波状態表示１０７ａ、電池残量１０７ｂ、日付表示１０７ｃおよび時刻表示１０７ｄが挙げられる。各種情報１０７としては他に、機能メニュー、アドレス帳、電話の着信履歴、発信履歴、メールの送信履歴および受信履歴、データフォルダに保存された文字データおよび画像データなども含まれる。表示画面１０２としては例えば、液晶表示画面、有機ＥＬ（ＥＬＥＣＴＲＯ  ＬＵＭＩＮＥＳＣＥＮＣＥ）表示画面、プラズマ表示画面、電子ペーパーなどが挙げられる。表示画面１０２が液晶表示画面の場合、表示画面１０２のバックライトを発光させて各種情報１０７を表示する。また、表示画面１０２が有機ＥＬ表示画面の場合、表示画面１０２の発光体を発光させて各種情報１０７を表示する。
【００２１】
図１の場合、表示画面１０２には、タッチパネル入力部が含まれる。なお、タッチパネル入力部は、状況に応じて表示画面１０２の一部に現れる。
【００２２】
光センサ１０３は、周囲の明るさを検出する明るさ検出部として機能する。光センサ１０３は、図１においては携帯電話端末装置１００の上部に設けられているが、その設置場所は限定されず、周囲の明るさを精度よく検出される場所であればかまわない。光センサ１０３としては、フォトトランジスタ，フォトダイオードなどを適用したものが挙げられる。
【００２３】
近接センサ１０１は、たとえば、静電容量式の近接センサである。近接センサ１０１は、被検出物（ユーザの耳など）が近接することにより静電容量が増加し、静電容量が閾値を越えると、検出信号を出力する。なお、近接センサ１０１は、静電容量式の近接センサに限られず、たとえば、超音波式や誘導形の近接センサであっても良い。
【００２４】
加速度センサ１０９は、例えば３軸加速度センサであり、図１のＸ軸方向、Ｙ軸方向およびＺ軸方向の３方向に生じる加速度を検出するように配されている。加速度センサ１０９は、検出した加速度に応じた加速度信号を後述する制御部１０８へ出力する。なお、加速度センサ１０９の設置場所は、携帯電話端末装置１００の移動を検出できれば、携帯電話端末装置１００の内部の場所は限定されない。
【００２５】
受話口１０４は、後述する制御部１０８からの制御信号によって外部に音を出力する機能を有する。受話口１０４は例えば、通話相手の音声を出力することができる。
【００２６】
送話口１０５としては例えばマイクなどが挙げられ、音声などの外部からの音を入力する機能を有する。送話口１０５は、入力された音をアナログ信号としてＡ／Ｄコンバータに出力する。
【００２７】
操作部１０６は、ユーザーからの操作の入力を受け付ける。操作部１０６が受け付けたユーザーからの操作は、信号として制御部１０８に入力される。図１の場合、操作部１０６は、ボタン状であり、それが押圧されることで入力される。
【００２８】
図１には図示していないが、携帯電話端末装置１００には、報知部としてスピーカが設けられる。スピーカは、メロディ、呼び出し音などにより、電話の着信情報、メールの受信情報、アラーム日時到来などをユーザーに報知できる。スピーカの位置は特に限定されず、例えば、携帯電話端末装置１００の表面、側面または裏面に設けられる。
【００２９】
図２は、携帯電話端末装置１００のブロック構成図である。
【００３０】
ＲＯＭ（ＲＥＡＤ  ＯＮＬＹ  ＭＥＭＯＲＹ）１１０は、携帯電話端末装置１００に備
えられた各種処理を実行するためのプログラムやデータなどを記憶する。
【００３１】
ＲＡＭ（ＲＡＮＤＯＭ  ＡＣＣＥＳＳ  ＭＥＭＯＲＹ）１１１は、制御部１０８からアクセス可能であり、制御部１０８が各種処理を実行するための一時記憶領域（バッファ領域とも呼ぶ）として利用される。
【００３２】
無線回路１１２は、アンテナ１１３から入力された所定の高周波信号に復調処理及び復号処理を施してデジタルの音声信号へと変換する。また、制御部１０８から入力されたデジタルの音声信号には符号化処理及び変調処理を施して、高周波信号に変換する。そして、無線回路１１２は高周波信号をアンテナ１１３へ出力する。
【００３３】
アンテナ１１３は、所定の周波数帯域を受信して高周波信号として無線回路１１２に出力する。また無線回路１１２より出力された高周波信号を所定の周波数帯域の信号として出力する。
【００３４】
制御部１０８は、携帯電話端末装置１００に備えられたソフトウェアおよびハードウェアを制御する。例えば、制御部１０８は、表示画面１０２におけるタッチパネル入力部、操作部１０６、など、ユーザーにより受け付けた入力操作を検知して、携帯電話端末装置１００に備えられた各種機能を実行する。また、制御部１０８は、ＲＯＭ１１０またはＲＡＭ１１１と協働して携帯電話端末装置１００に記憶されたプログラムを実行する。
【００３５】
制御部１０８としては、例えば、制御用ＣＰＵなどが挙げられる。
【００３６】
図３には、図２における制御部１０８を具体的に示す。図３に示すように制御部１０８には、加速度判別部１１４、近接判別部１１５、明るさ判別部１１６、表示画面制御部１１７が設けられる。
【００３７】
加速度判別部１１４は、加速度センサ１０９により検出された携帯電話端末装置１００の加速度を伴う動きが所定のしきい値以上であるかどうかを検出する。加速度判別部１１４は、加速度センサ１０９からの３軸方向の加速度信号を取得する。携帯電話端末装置１００が移動した場合、移動し始めの段階において、３軸方向の加速度のうちの少なくとも何れか１つが大きく変化する。加速度判別部１１４は、何れかの加速度の変化が予め定めたしきい値を越えると、携帯電話端末装置１００が移動したと判定する。このとき、ユーザーが携帯電話端末装置１００の移動を意図せず、ユーザーが携帯電話端末装置１００を持った状態で携帯電話端末装置１００がわずかに動く程度であれば移動したと判定されないよう、しきい値が設定される。なお、携帯電話端末装置１００の「移動」は、携帯電話端末装置１００を傾ける動作も含まれる。
【００３８】
近接判別部１１５は、例えば、近接センサ１０１が静電容量方式の場合、被検出物（ユーザーの耳など）が近接センサ１０１に近接することにより静電容量が増加した際、静電容量がしきい値を超えるかどうかを判別し、超えたと判別したとき検出信号を出力する。
【００３９】
明るさ判別部１１６は、光センサ１０３により検出された周囲の明るさが所定のしきい値以下であるかどうかを判別する。所定のしきい値は、ユーザーの操作により設定を変更してもよい。
【００４０】
なお、上述のしきい値は、１つだけ設定されてもよいし、また、複数設定されてもよい。
【００４１】
表示画面制御部１１７は、加速度判別部１１４および近接判別部１１５における判別結
果をもとに（好ましくは加速度判別部１１４と近接判別部１１５と明るさ判別部１１６との判別結果をもとに）、表示画面１０２の点灯および消灯を制御する。
【００４２】
以上のように、タッチパネル入力部を有する携帯電話端末装置１００の例をもとにして説明したが、タッチパネル入力部のかわりにキー入力部を有する携帯電話端末装置１００であってもよい。
【００４３】
表示画面制御部１１７による表示画面１０２の制御は、携帯電話端末装置１００における表示画面１０２の占有率が大きい端末ほど（例えば、表示画面が大きい、１つの端末に２つ以上の表示画面を有するなど）、より十分に前述の効果を発揮することができる。
【００４４】
〔動作処理〕
次に、表示画面１０２の制御処理を実行するプログラムについて図４〜８を用いて説明する。なお、携帯電話端末装置１００としては、図１に示すようなストレートタイプであり、タッチパネルを備えたものを例に挙げる。
【００４５】
ステップＳ１において表示画面１０２が点灯したのち、表示画面１０２を一定時間後に消灯までの設定時間を超えたかを検出する（ステップＳ２）。なお、ステップＳ１における表示画面１０２は、例えば、操作部１０６が押圧されるなどして点灯する。
【００４６】
点灯している表示画面を一定時間後に消灯させるための設定時間を超えた場合（ステップＳ２：ＹＥＳ）、表示画面１０６は消灯する（ステップＳ３）。
【００４７】
一方、前述の設定時間を超えていない場合（ステップＳ２：ＮＯ）、携帯電話端末装置１００が移動したかどうかを検出する（ステップＳ４）。以下にステップＳ４以降のフローを説明し、ステップＳ３以降のフローは後述する。
【００４８】
携帯電話端末装置１００が移動したと検出された場合（ステップＳ４：ＹＥＳ）、携帯電話端末装置１００の近接センサ１０１に被検出物が近接したかどうかを検出する（ステップＳ５）。
【００４９】
一方、携帯電話端末装置１００が移動したと検出されなかった場合（ステップＳ４：ＮＯ）、フローは再びステップＳ２に移行して、一定時間後に表示画面１０２を消灯させる設定時間を経過したかどうかを検出する。
【００５０】
携帯電話端末装置１００の近接センサ１０１に被検出物が近接したと検出された場合（ステップＳ５：ＹＥＳ）、点灯していた表示画面１０２を消灯する（ステップＳ６）。
【００５１】
一方、携帯電話端末装置の近接センサに被検出物が近接したと検出されなかった場合（ステップＳ５：ＮＯ）、フローは再びステップＳ２に移行して、一定時間後に表示画面１０２を消灯させる設定時間を経過したかどうかを検出する。
【００５２】
このように、ステップＳ４にて携帯電話端末装置１００が移動したかどうかを検出したのち、ステップＳ５にて携帯電話端末装置１００の近接センサ１０１に被検出物が近接したかどうかを検出することによって、例えば、携帯電話端末装置１００が移動したが近接センサ１０１に何も近接していない場合、または、近接センサ１０１に被近接物が近接したが携帯電話端末装置１００が移動していない場合など、表示画面１０２をすぐに消灯させる必要のない状況において表示画面１０２がすぐ消灯するという課題を解決することができる。
【００５３】
上述した実施態様によれば、ステップＳ４およびステップＳ５が、いずれも「ＹＥＳ」の場合にステップＳ６にて表示画面１０２を消灯させたが、図５に示すように、ステップＳ５の後に、例えば照度センサなどの光センサ１０３によって、携帯電話端末装置１００の周囲が明るいかどうかを検出してもよい（ステップ５．５）。なお、図５のフローは、実際には図４の点線で囲ったフローの代わりとして用いられる。
【００５４】
携帯電話端末装置１００の周囲が明るいと検出した場合（ステップＳ５．５：ＹＥＳ）、フローは再びステップＳ２に戻る。
【００５５】
一方、携帯電話端末装置１００の周囲が明るいと検出されなかった場合、（ステップＳ５．５：ＮＯ）、点灯していた表示画面１０２を消灯させ（ステップＳ６）、フローはステップＳ７に進む。
【００５６】
このようにステップＳ５．５が追加されることにより、例えば、携帯電話端末装置１００を移動させながらユーザーの指が近接センサ１０１を覆っている場合に、誤って表示画面１０２が消灯することを抑制できる。
【００５７】
以下に、図４を用いて、ステップＳ４およびステップＳ５を経てステップＳ６にて表示画面１０２が消灯した後のフローを示す。
【００５８】
ステップＳ６にて表示画面１０２が消灯した後に一定時間を経ると、携帯電話端末装置１００内部の制御部１０８、近接センサ１０１などは休止するが、操作部１０６に入力を受ける、あるいは、報知する情報がある（着信、メール受信、予め設定した時刻の到来）場合に、それらは再度起動する。
【００５９】
以下に、再度起動した近接センサ１０１による表示画面１０２の点灯および消灯の制御フローを示す。
【００６０】
ステップＳ６の後に、操作部１０６に入力があったかどうかを検出する（ステップＳ７）。
【００６１】
操作部１０６に入力があったと検出した場合（ステップＳ７：ＹＥＳ）、フローは再びステップＳ１に移行して、消灯していた表示画面は点灯する。なお、操作部１０６に入力があった場合は、ユーザーが表示画面１０２を確認する意図で入力されたと考えられるため、近接センサ１０１による検出はしていない。
【００６２】
一方、操作部１０６に入力があったと検出しなかった場合（ステップＳ７：ＮＯ）、着信の有無を検出する（ステップＳ８）。
【００６３】
着信があったと検出した場合（ステップＳ８：ＹＥＳ）、図６に示すように、近接しなくなったかどうかを検出する（ステップＳ１５）。そして、近接しなくなった場合は（ステップＳ１５：ＹＥＳ）、消灯していた表示画面１０２を点灯させ（ステップＳ１６）、表示画面１０２が点灯した状態で着信を報知する（ステップＳ１７）。
【００６４】
一方、近接している場合は（ステップＳ１５：ＮＯ）、表示画面１０２を消灯させ（ステップＳ１８）、消灯した状態を維持したままで着信を報知する（ステップＳ１９）。
【００６５】
ステップＳ１７およびステップＳ１９より後のフローは後述する。
【００６６】
図４において着信があったと検出しない場合（ステップＳ８：ＮＯ）、メールの受信の
有無を検出する（ステップＳ９）。
【００６７】
メールの受信があったと検出した場合（ステップＳ９：ＹＥＳ）、近接しなくなったかどうかを検出する（ステップＳ１０）。そして、近接しなくなった場合は（ステップＳ１０：ＹＥＳ）、消灯していた表示画面１０２を点灯し（ステップＳ１２）、点灯した状態でメール受信を報知する（ステップＳ１３）。なお、ステップＳ１３の後、フローは再びステップＳ２に移行して、一定時間後に表示画面１０２を消灯させる設定時間を経過したかどうかを検出する。
【００６８】
一方、近接している場合は（ステップＳ１０：ＮＯ）、消灯した状態を維持したままでメール受信を報知する（ステップＳ１４）。なお、ステップＳ１４の後、フローは再びステップＳ７に移行して、操作部１０６に入力があったかどうかを検出する。
【００６９】
メール受信があったと検出しない場合（ステップＳ９：ＮＯ）、アラームなどを報知するために設定した時刻が到来したかどうかを検出する（ステップＳ１１）。
【００７０】
設定した時刻が到来したと検出した場合（ステップＳ１１：ＹＥＳ）、図７に示すように、近接しなくなったかどうかを検出する（ステップＳ３０）。そして、近接しなくなった場合は（ステップＳ３０：ＹＥＳ）、消灯していた表示画面１０２を点灯させ（ステップＳ３１）、表示画面１０２を点灯させた状態で設定時刻の到来を報知する（ステップＳ３２）。
【００７１】
一方、近接している場合は（ステップＳ３０：ＮＯ）、表示画面１０２を消灯させ（ステップＳ３３）、消灯した状態を維持したままで設定を報知する（ステップＳ３４）。
【００７２】
ステップＳ３２およびステップＳ３４より後のフローは後述する。
【００７３】
ここで、図４のステップＳ２において消灯の設定時間を経過したことによりステップＳ３にて表示画面１０２を消灯した後のフロー（図８）と、前述のフローとを比較する。
【００７４】
図８に示すステップＳ４１（操作部に入力があったかどうかの検出に関するステップ）は、図４に示すステップＳ７と同様のフローであるため説明を省略する。
【００７５】
図８に示すステップＳ４２とステップＳ４５とステップＳ４８は、図４に示すステップＳ８とステップＳ９とステップ１１はそれぞれ、同様の検出を行なっている。そして、それらのステップにおいて「ＮＯ」と検出された後のステップは同じであるが、「ＹＥＳ」と検出された場合のステップが異なる。
【００７６】
図８に示すステップＳ４２とステップＳ４５とステップＳ４８において「ＹＥＳ」と検出された場合、いずれの場合も消灯していた表示画面１０２を点灯したうえで報知する。それに対して、前述したように、図４に示すステップＳ８とステップＳ９とステップ１１において「ＹＥＳ」と検出された場合、それぞれ次のステップにおいて、携帯電話端末装置１００が被検出物と近接しなくなったかどうかを検出するステップを経たうえで（図６に示すステップＳ１５、図４に示すステップＳ１０、および図７に示すステップＳ３０）、それぞれの検出結果をもとに表示画面１０２を点灯または消灯させて報知する。
【００７７】
このように、ステップＳ４およびステップＳ５を経ることで表示画面１０２を消灯した後、報知すべき情報がある場合に休止状態から起動した近接センサ１０１を用いて被検出物の近接を検出することにより、表示画面１０２の点灯または消灯の状態を制御することができる。よって、表示画面１０２を消してもよい状況を判断して電力消費量を削減でき
る。
【００７８】
以下に、図６のステップＳ１７およびステップＳ１９の後の着信に関するフローを示す。
【００７９】
ステップＳ１７にて、表示画面１０２を点灯した状態で着信報知を行なった後、通話操作があるかどうかを検出する（ステップＳ２０）。なお、通話操作があるとは、着信に対して応答しようとして、例えば、操作部１０６などを押圧することで、通話可能な状態にすることをいう。
【００８０】
通話操作があると検出した場合（ステップＳ２０：ＹＥＳ）、通話を開始し（ステップＳ２１）、点灯した表示画面１０２が消灯するまでの設定時間を超えたかどうかを検出する（ステップＳ２３）。設定時間を超えたことを検出した場合（ステップＳ２３：ＹＥＳ）、点灯していた表示画面を消灯し（ステップＳ２４）、設定時間を超えたと検出しなかった場合（ステップＳ２３：ＮＯ）、フローは再度ステップＳ２３に移行する。
【００８１】
ステップＳ２４にて表示画面を消灯したのち、通話が終了したかどうかを検出する（ステップＳ２５）。通話が終了したと検出した場合（ステップＳ２５：ＹＥＳ）、消灯した表示画面は再び点灯する（ステップＳ２６）。一方、通話が終了したと検出していない場合（ステップＳ２５：ＮＯ）、フローは再度ステップＳ２５に移行する。なお、通話が終了するとは、例えば、操作部１０６を押圧するなどして電話を切ることをいう。
【００８２】
ステップＳ２６にて点灯することで、ユーザーは例えば、通話時間を表示画面によって確認することができる。
【００８３】
ステップＳ２６において消灯した表示画面は再び点灯した後、フローは再び図４に示すステップＳ２に移行する。
【００８４】
通話操作があると検出されない場合（ステップＳ２０：ＮＯ）、着信が終了したかどうかを検出し（ステップＳ２２）、着信が終了した場合は（ステップＳ２２：ＹＥＳ）、着信報知を終了する（ステップＳ２７）。着信が終了していない場合（ステップＳ２２：ＮＯ）、フローは再び図４に示すステップＳ１５に移行する。
【００８５】
ステップＳ１９にて、表示画面１０２を消灯した状態で着信報知を行なった後、着信が終了したかどうかを検出し（ステップＳ２８）、着信が終了した場合は（ステップＳ２８：ＹＥＳ）、着信報知を終了する（ステップＳ２９）。着信が終了していない場合（ステップＳ２８：ＮＯ）、フローは再び図６に示すステップＳ１５に移行する。
【００８６】
ここで、着信時のユーザーの動作の一例を示す。
【００８７】
まず、点灯している表示画面１０２が裏になるようにして机の上にユーザーが携帯電話端末装置１００を設置した場合、図４に示すステップＳ１〜ステップＳ５を経て、点灯していた表示画面は消灯している。次に、操作部に入力がないまま着信があった場合（ステップＳ７：ＹＥＳ、ステップＳ８：ＹＥＳ）、ユーザーがその着信に気づかない状態では、図６のフローにおいて、ステップＳ１５、ステップＳ１８、ステップＳ１９およびステップＳ２８のフローを繰り返す。しかし、ユーザーが着信に気づいて携帯電話端末装置１００を持ち上げた際、ステップＳ１５が「ＮＯ」から「ＹＥＳ」に変更することで、表示画面１０２が消灯した状態から点灯した状態に変更となるため、表示画面１０２が裏向きである場合は電力消費量を低減させ、表示画面１０２が表向きである場合、ユーザーは着信情報を表示画面により確認することが可能となる。
【００８８】
以下に、図７のステップＳ３２およびステップＳ３４の後の設定時刻到来の報知に関するフローを示す。
【００８９】
ステップＳ３２にて、表示画面を点灯した状態で設定時刻の到来報知を行なった後、報知停止操作があるかどうかを検出する（ステップＳ３５）。なお、報知停止操作とは、例えば、アラームなどの報知を停止しようとして、例えば、操作部１０６などを押圧することをいう。
【００９０】
報知停止操作があると検出した場合（ステップＳ３５：ＹＥＳ）、報知を終了する（ステップＳ３６）。一方、報知停止操作があると検出していない場合（ステップＳ３５：ＮＯ）、時刻を報知するための時間を超えると検出する（ステップＳ３７）。なお、報知するための時間とは、例えば、時刻報知のためのアラームの鳴動時間をいう。
【００９１】
時刻を報知するための時間を超えると検出した場合（ステップＳ３７：ＹＥＳ）、報知を終了し（ステップＳ３６）、時刻を報知するための時間を超えると検出しなかった場合（ステップＳ３７：ＮＯ）、フローは再びステップＳ３０に移行する。
【００９２】
表示画面を消灯した状態で設定時刻の到来報知を行なうステップＳ３４の後のフローにおけるステップＳ３８、ステップＳ３９およびステップＳ４０は、前述したステップＳ３５、ステップＳ３６およびステップＳ３７と同様であるため、説明を省略する。
【符号の説明】
【００９３】
１００  携帯電話端末装置
１０１  近接センサ
１０２  表示画面
１０３  光センサ
１０４  受話口
１０５  送話口
１０６  操作部
１０７ａ  電波状態表示
１０７ｂ  電池残量
１０７ｃ  日付表示
１０７ｄ  時刻表示
１０８  制御部
１０９  加速度センサ
１１０  ＲＯＭ
１１１  ＲＡＭ
１１２  無線回路
１１３  アンテナ
１１４  加速度判別部
１１５  近接判別部
１１６  明るさ判別部
１１７  表示画面制御部
【図１】
2014168309.tif 000003
【図２】
2014168309.tif 000004
【図３】
2014168309.tif 000005
【図４】
2014168309.tif 000006
【図５】
2014168309.tif 000007
【図６】
2014168309.tif 000008
【図７】
2014168309.tif 000009
【図８】
2014168309.tif 000010